(57)【要約】【課題】異なったタイプの飲料用ボトルに対して共通に適用できる飲料用ボトルの販売促進部材収納用ケースを提供する。【課題の解決手段】飲料用ボトルの販売促進部材収納用ケース１は、飲料用ボトルの蓋体が挿通可能な透孔２を有する環状天壁３と、この環状天壁３の外周から一体的に延びる周壁４と、環状天壁３の内周からそれぞれ周壁４と平行方向に一体的に延びて、先端には飲料用ボトルの首部に弾力的に係脱可能な係止爪６を有する、周方向に間隔を置いて複数設けた係止片５と、これら各係止片５の間に位置するよう環状天壁３の内周からそれぞれ周壁４と平行方向に一体的に延びて、各下端は各係止片５の下端よりも下方で、周壁４の下端よりは上方に位置する複数の規制片７とからなるものである。【選択図】図２
0003160821.tif 000002
【実用新案登録請求の範囲】
【請求項１】
飲料用ボトルの蓋体が挿通可能な透孔を有する環状天壁と、この環状天壁の外周から一体的に延びる周壁と、前記環状天壁の内周からそれぞれ前記周壁と平行方向に一体的に延びて、先端には飲料用ボトルの首部に弾力的に係脱可能な係止爪を有する、周方向に間隔を置いて複数設けた係止片と、これら各係止片の間隔部分に位置するよう前記環状天壁の内周からそれぞれ前記周壁と平行方向に一体的に延びて、各下端は前記各係止片の下端よりも下方で、前記周壁の下端よりは上方に位置する複数の規制片とからなることを特徴とする飲料用ボトルの販売促進部材収納用ケース。
【請求項２】
請求項１の構成において、前記各係止片は、上端から下端に向けて内方に傾斜するよう構成したことを特徴とする飲料用ボトルの販売促進部材収納用ケース。
【考案の詳細な説明】
【技術分野】
【０００１】
本考案は、その内部に景品などの販売促進部材を収納して、飲料用ボトルの上部に着脱可能に取り付ける販売促進部材収納ケースに関する。
【背景技術】
【０００２】
従来のこの種販売促進部材収納ケースとしては、例えば、第１に、飲料用ボトルの首部から胴部の間の傾斜した肩部との間に販売促進部材の収納空間を形成するもので、天壁に蓋体を挿通する透孔を有するとともに、天壁と連続する周壁を有するカップ状で、飲料用ボトルの首部に脱着可能に嵌着し、嵌着時には周壁下端が肩部に当接するよう構成した収納ケース（特許文献１）が知られている。また例えば、第２に、蓋体の上面から胴部の間の傾斜した肩部との間に販売促進部材の収納空間を形成するもので、蓋体上面に当接する天壁を有するとともに、天壁と連続する周壁を有するカップ状で、飲料用ボトルの首部に脱着可能に嵌着し、嵌着時には周壁下端が肩部に当接するよう構成した収納ケース（特許文献２）が知られている。
【先行技術文献】
【特許文献】
【０００３】
【特許文献１】特開２００１−１５８４３４号公報
【特許文献２】特開２００９−１０７６８８号公報
【考案の概要】
【考案が解決しようとする課題】
【０００４】
前記従来の販売促進部材収納ケースは、第１、第２のいずれの構成においても、周壁の下端が飲料用ボトルの肩部に当接しないと、安定状態で飲料用ボトルに取付けられないので、肩部の傾斜が異なったタイプの飲料用ボトルには共通して適用することができないものである。また、前記第２の収納ケースは、前記第１の収納ケースに比べて収納空間が大きいという利点を有するものの、天壁が蓋体の上面に当接すると下方への移動ができなくなり、蓋体の高さによってはその首部に嵌着できなくなるので、蓋体の高さが異なったタイプの飲料用ボトルに共通して適用することができないものである。このため、従来においては、異なったタイプの飲料用ボトルには、それぞれ対応すべく各別に製造した収納ケースを用意しなければならないという不都合を生じている。
【０００５】
本考案は、この不都合を解消して、異なったタイプの飲料用ボトルに対して共通に適用できる飲料用ボトルの販売促進部材収納用ケースを提供することを目的とする。
【課題を解決するための手段】
【０００６】
前記目的を達成するために、本考案の請求項１に係る飲料用ボトルの販売促進部材収納用ケースは、飲料用ボトルの蓋体が挿通可能な透孔を有する環状天壁と、この環状天壁の外周から一体的に延びる周壁と、前記環状天壁の内周からそれぞれ前記周壁と平行方向に一体的に延びて、先端にはボトルの首部に弾力的に係脱可能な係止爪を有する、周方向に間隔を置いて複数設けた係止片と、これら各係止片の間に位置するよう前記環状天壁の内周からそれぞれ前記周壁と平行方向に一体的に延びて、各下端は前記各係止片の下端よりも下方で、前記周壁の下端よりは上方に位置する複数の規制片とからなるものである。
【０００７】
また、同じく前記目的を達成するために、本考案の請求項２に係る飲料用ボトルの販売促進部材収納用ケースは、請求項１の構成において、前記各係止片は、上端から下端に向けて内方に傾斜するよう構成したことを特徴とする。
【考案の効果】
【０００８】
本考案の請求項１に係る飲料用ボトルの販売促進部材収納用ケースによれば、蓋体の高さが異なる飲料用ボトルに対しても適用可能であるとともに、肩部の傾斜が異なる飲料用ボトルに対しても、周壁下端か、規制片下端のいずれかが確実に当接することによって、同一構成の収納用ケースで複数タイプの飲料用ボトルに安定状態で取付けることができ、さらには、販売促進部材の収納空間も十分確保できるという効果を奏する。
【０００９】
また、本考案の請求項２に係る飲料用ボトルの販売促進部材収納用ケースによれば、上記効果に加え、飲料用ボトルの首部の径に大小があっても、確実に着脱できるという効果を奏する。
【図面の簡単な説明】
【００１０】
【図１】収納用ケースの平面図である。
【図２】図１のＡ−Ａ線断面図である。
【図３】飲料用ボトルに取付けた状態の縦断面図である。
【図４】異なるタイプの飲料用ボトルに取付けた状態の縦断面図である。
【考案を実施するための形態】
【００１１】
以下に、本考案の好適な実施形態を添付図面の図１〜図４に基づいて詳細に説明する。
【００１２】
図１及び図２に示すように、飲料用ボトルの販売促進部材収納用ケース（以下ケースという）１は、飲料用ボトルＡの蓋体Ｂ（図３及び図４参照）が挿通可能な透孔２を有する環状天壁３と、この環状天壁３の外周から一体的に延びる周壁４を備えている。この周壁４は下端に向けて徐々に拡径するよう形成されている。
【００１３】
また、環状天壁３の内周からそれぞれ周壁４と平行方向に一体的に延びる係止片５を、周方向に等間隔を置いて４個設けている。これら係止片５の先端は折曲げられて、飲料用ボトルＡの首部Ｃ（図３及び図４参照）に弾力的に係脱可能な係止爪６を形成している。そして、これら係止片５は、上端から下端に向けて内方、換言するとケース１の中心方向に傾斜するよう形成し、径方向に弾力的に変位可能なことにより、前記首部Ｃの径の大きさが異なるものに対しても対応できるように構成している。
【００１４】
さらに、各係止片５の間隔部分に位置して、環状天壁３の内周からそれぞれ周壁４と平行方向に一体的に延びる４個の規制片７を設けている。これら規制片７の、各下端は前記各係止片５の下端よりも下方で、前記周壁４の下端よりは上方に位置している。
【００１５】
続いて、以上のように構成したケース１を飲料用ボトルＡに取り付ける手順を説明する。まず、ケース１内にその周壁４に沿って消費者の興味を引く販売促進部材（図示せず）を入れ、次いで、透孔２を蓋体Ｂに対応位置させて、飲料用ボトルＡにケース１を周壁４の下端から被せるようにして押し下げる。すると、各係止片５の係止爪６が蓋体Ｂの周面に沿ってスリップしながら進み、蓋体Ｂ下端から首部Ｃを乗り越えて、この首部Ｃ下端面に係止する。
【００１６】
このとき、飲料用ボトルＡが、肩部Ｄの傾斜が首部Ｃから下方に向けて緩やかに変化するタイプの場合は、図３に示すように、当該肩部Ｄに周壁４の下端が当接して、ケース１の下方への移動を規制する一方、係止片５が首部Ｃの下面に係止していることで、ケース１の上方への移動を規制し、ケース１を飲料用ボトルＡに確実に取付けることができる。
【００１７】
また、飲料用ボトルＡが、肩部Ｄの傾斜が一旦水平方向に張り出した後急激に下方へ落ちるように変化するタイプの場合は、図４に示すように、当該肩部Ｄに各規制片７の下端が当接して、ケース１の下方への移動を規制する一方、係止片５が首部Ｃの下面に係止していることで、ケース１の上方への移動を規制し、ケース１を飲料用ボトルＡに確実に取付けることができる。
【００１８】
ここにおいて、販売促進部材（図示せず）は、肩部Ｄ、環状天壁３、周壁４、係止片５及び規制片７で囲まれた空間内に収納された状態にあり、十分大きな収納空間が確保されている。この状態で、ケース１が取付けられた飲料用ボトルＡは、例えば自動販売機で販売される商品となり、消費者の購入時に前記商品が自動販売機の取り出し口に落下しても、その程度の衝撃では飲料用ボトルＡからケース１が離脱することはない。
【００１９】
一方、この商品を購入した消費者は、図３あるいは図４状態で飲料用ボトルＡに取付けられているケース１を、所定以上の力で引き抜くと、各係止片５の係止爪６が外周方向に変位して首部Ｃとの係止状態を解除し、各係止爪６が蓋体Ｂの周面に沿ってスリップしながら上昇し、ケース１は飲料用ボトルＡから離脱する。そして、離脱したケース１の周壁４下端方向から、収納されていた販売促進部材（図示せず）を取り出すことができる。
【００２０】
なお、本考案は前記実施形態に何ら限定されるものではなく、例えば、係止片５及び規制片７は、上述の実施形態のように各４個が最適であるが、必ずしも各４個に限らず、複数であればよいものである。
【符号の説明】
【００２１】
１      ケース
２      透孔
３      環状天壁
４      周壁
５      係止片
６      係止爪
７      規制片
Ａ      飲料用ボトル
Ｂ      蓋体
Ｃ      首部
Ｄ      肩部
【図１】
0003160821.tif 000003
【図２】
0003160821.tif 000004
【図３】
0003160821.tif 000005
【図４】
0003160821.tif 000006